(57)【要約】【課題】ジブの旋回角度範囲を３６０°超の角度に制限して、使い勝手を良好にすることができるようにしたジブクレーンを提供すること。【解決手段】ジブクレーン１は、支柱２に旋回自在に支持されるジブ３と、ジブに取り付けた電動ホイスト４とを備え、支柱のジブ近傍の外周面に支柱側ストッパ５が設けられると共に、ジブに、ジブの旋回で支柱側ストッパに当接可能なジブ側ストッパ６が固設され、支柱側ストッパは、支柱に設けられた周方向に長手のガイド７に沿って周方向に移動自在に支持され、ガイドの両端７ａ，７ｂに、支柱側ストッパに当接してその移動範囲を制限する固定ストッパ８が設けられる。【選択図】図２
2019142650.tif 000002
【特許請求の範囲】
【請求項１】
支柱に旋回自在に支持されるジブと、ジブに取り付けた電動ホイストとを備えるジブクレーンであって、
支柱のジブ近傍の外周面に支柱側ストッパが設けられると共に、ジブに、ジブの旋回で支柱側ストッパに当接可能なジブ側ストッパが固設され、
支柱側ストッパは、支柱に設けられた周方向に長手のガイドに沿って周方向に移動自在に支持され、ガイドの両端に、支柱側ストッパに当接してその移動範囲を制限する固定ストッパが設けられることを特徴とするジブクレーン。
【発明の詳細な説明】
【技術分野】
【０００１】
本発明は、重量物等の荷物の上げ下ろし及び搬送に使用されるジブクレーンに関する。
【背景技術】
【０００２】
従来、この種のジブクレーンとして、支柱に旋回自在に支持されるジブと、ジブに取り付けた電動ホイストとを備え、電動ホイストで吊り上げた荷物をジブの旋回で適宜の場所に旋回搬送して荷下ろしするように構成されたものは知られている（例えば、特許文献１参照）。
【０００３】
ここで、ジブを無制限に旋回可能とすると、電動ホイストに対する配線が支柱に絡まってしまうことがある。そこで、支柱のジブ近傍の外周面に支柱側ストッパを固設すると共に、ジブに、ジブの旋回で支柱側ストッパに当接可能なジブ側ストッパを固設したものが知られている。これによれば、ジブ側ストッパの周方向一方の側面が支柱側ストッパの周方向他方の側面に当接することでジブのそれ以上の周方向一方への旋回が阻止されると共に、ジブ側ストッパの周方向他方の側面が支柱側ストッパの周方向一方の側面に当接することでジブのそれ以上の周方向他方への旋回が阻止され、ジブの旋回角度範囲が３６０°未満に制限されて、支柱に配線が絡まることを防止できる。
【０００４】
然し、ジブの旋回角度範囲が３６０°未満に制限されると、ジブの周方向一方の旋回端位置（ジブ側ストッパの周方向一方の側面が支柱側ストッパの周方向他方の側面に当接する位置）と周方向他方の旋回端位置（ジブ側ストッパの周方向他方の側面が支柱側ストッパの周方向一方の側面に当接する位置）との間の場所では荷物の上げ下ろしができなくなってしまい、使い勝手が悪くなる。
【先行技術文献】
【特許文献】
【０００５】
【特許文献１】特開２００２−３３９５８５号公報
【発明の概要】
【発明が解決しようとする課題】
【０００６】
本発明は、以上の点に鑑み、ジブの旋回角度範囲を３６０°超の角度に制限して、使い勝手を良好にすることができるようにしたジブクレーンを提供することをその課題としている。
【課題を解決するための手段】
【０００７】
上記課題を解決するために、本発明は、支柱に旋回自在に支持されるジブと、ジブに取り付けた電動ホイストとを備えるジブクレーンであって、支柱のジブ近傍の外周面に支柱側ストッパが設けられると共に、ジブに、ジブの旋回で支柱側ストッパに当接可能なジブ側ストッパが固設され、支柱側ストッパは、支柱に設けられた周方向に長手のガイドに沿って周方向に移動自在に支持され、ガイドの両端に、支柱側ストッパに当接してその移動範囲を制限する固定ストッパが設けられることを特徴とする。
【０００８】
本発明によれば、ジブを周方向一方に旋回させると、ジブ側ストッパの周方向一方の側面が支柱側ストッパの周方向他方の側面に当接した後、支柱側ストッパがジブ側ストッパに押されて周方向一方に移動し、ガイドの周方向一方端の固定ストッパに支柱側ストッパが当接したところで、ジブのそれ以上の周方向一方への旋回が阻止される。また、ジブを周方向他方に旋回させると、ジブ側ストッパの周方向他方の側面が支柱側ストッパの周方向一方の側面に当接した後、支柱側ストッパがジブ側ストッパに押されて周方向他方に移動し、ガイドの周方向他方端の固定ストッパに支柱側ストッパが当接したところで、ジブのそれ以上の周方向他方への旋回が阻止される。従って、ジブの旋回角度範囲は、ガイド両端の固定ストッパ間での支柱側ストッパの移動角度分だけ３６０°よりも大きくなる。そのため、支柱の周囲３６０°の任意の場所で荷物の上げ下ろしをすることができて、使い勝手が良好になる。更に、ジブの旋回角度範囲が３６０°超ではあっても所定角度以下に制限されるため、支柱に配線が絡みつくことも防止できる。
【図面の簡単な説明】
【０００９】
【図１】本発明のジブクレーンの一実施形態を概略的に示した側面図。
【図２】図１に示した支柱及びジブの要部斜視図。
【図３】（ａ）（ｂ）（ｃ）は、それぞれ、図１に示したジブクレーンのジブが左旋回する状態を順に示した要部断面図。
【発明を実施するための形態】
【００１０】
図１及び図２を参照して、ジブクレーン１は、支柱２に旋回自在に支持されるジブ３と、ジブ３に取り付けた電動ホイスト４とを備えている。ジブクレーン１では、支柱２のジブ３近傍の外周面に支柱側ストッパ５が設けられると共に、ジブ３に、ジブ３の旋回で支柱側ストッパ５に当接可能なジブ側ストッパ６が固設されている。また、支柱側ストッパ５は、支柱２に設けられた周方向に長手のガイド７に沿って周方向に移動自在に支持され、ガイド７の両端、即ち、周方向の一方端７ａ及び他方端７ｂに、支柱側ストッパ５に当接してその移動範囲を制限する固定スットパ８が設けられている。
【００１１】
支柱２は、水平置きされる基台９の上面に対して垂直上方に立設されている。支柱２の下端部寄りの外周部にジブ３の旋回操作を行う旋回スイッチ１０が設けられている。旋回スイッチ１０は、図示していないモータに接続され、このモータのトルクはジブ３に伝達され、左右両方向への旋回を可能としている。また、旋回スイッチ１０は、ジブ３の左旋回、右旋回及び停止等を押し操作する複数の操作ボタンを有している。ジブ３は、支柱２の上端部に旋回自在に支持されている。電動ホイスト４は、ジブ３の一端部３ａに吊設等により取付可能とされている。支柱２を挟んで一端部３ａと反対側に位置するジブ３の他端部３ｂの下端にはバランスウェイト１１が設けられている。電動ホイスト４は、ジブ３の長さ方向に沿って移動可能に取り付けることもでき、この場合、電動ホイスト４を移動させるモータをバランスウェイト１１と同一又はその近傍に固定することができる。モータの電源コードは支柱２の内部に引き込み、配線可能である。尚、図２では、他端部３ｂ及びバランスウェイト１１を省略している。
【００１２】
電動ホイスト４は、図示していないモータと、回転自在なロードシーブとを有し、ロードシーブにはモータのトルクが伝達され、ロードシーブの外周にリンクチェーン１２の巻取りが可能となっている。モータは正逆回転が可能であり、正転時にリンクチェーン１２がロードシーブに巻き取られ、逆転時に巻き戻される。リンクチェーン１２のロードシーブと反対側の一端にフック１３が設けられ、リンクチェーン１２の巻取り、巻戻しによって上昇、下降する。モータを正逆回転させてフック１３の昇降を操作する操作スイッチ１４はコード１５を介してモータに接続されている。操作スイッチ１４は、フック１３の昇降及びその停止他を押し操作する複数の操作ボタンを有している。コード１５は、操作者が操作スイッチ１４を手元で操作可能な長さを有し、電動ホイスト４から吊り下がっている。電動ホイスト４が有するモータの電源コードは、図示していないが、ジブ３の下側にジブ３の長さ方向に沿って配線され、支柱２の内部に引き込まれている。
【００１３】
支柱側ストッパ５はコ字型でブロック状の部材であり、周方向一方の側面５ａと他方の側面５ｂとを有している。また、支柱側ストッパ５は、図示していないが、その上端部に下方に突出する上突起を、下端部に上方に突出する下突起を有している。これらの上突起、下突起のそれぞれが、ガイド７の上端縁部、下端縁部に遊嵌し、この遊嵌によって支柱側ストッパ５はガイド７に沿って支柱２の周方向に移動自在となっている。２つの固定ストッパ８は、その一方がガイド７の周方向の一方端７ａに設けられ、他方が他方端７ｂに設けられている。両固定ストッパ８はガイド７より外方に突出し、この突出によって支柱側ストッパ５の側面５ａ，５ｂの当接を可能としている。但し、固定ストッパ８の突出代は、支柱側ストッパ５における支柱２と反対側に位置する最外面よりも内側までの長さとされている。ジブ側ストッパ６は、片状又はブロック状の部材であり、ジブ３の支柱２近傍の部分においてその下面から下方に突出している。また、ジブ側ストッパ６は、周方向一方の側面６ａと他方の側面６ｂとを有している。尚、ジブ側ストッパ６は、固定ストッパ８に接触することなく、支柱側ストッパ５に当接可能な位置でジブ３に固設されている。
【００１４】
図３（ａ）〜（ｃ）を参照して、ジブクレーン１のジブ３の旋回について説明する。図３（ａ）に示した状態では、ジブ側ストッパ６の周方向他方の側面６ｂが支柱側ストッパ５の周方向一方の側面５ａに接触していると共に、支柱側ストッパ５が、ガイド７の周方向の他方端７ｂの固定ストッパ８と接触している。この状態では、ジブ３は、それ以上の周方向他方への旋回、即ち、右旋回が阻止されている。ここで、操作者が旋回スイッチ１０の左旋回の操作ボタンを押し操作すると、ジブ３は左旋回する。
【００１５】
図３（ｂ）に示したように、ジブ３が左旋回するにつれ、ジブ側ストッパ６は支柱側ストッパ５から離れ、一旦遠ざかる。ジブ３の旋回角度が３６０°に近づくにつれ、ジブ側ストッパ６は支柱側ストッパ５に再び接近する。更にジブ３が左旋回し、旋回角度が約３６０°となると、ジブ側ストッパ６は、上記の通りに位置しているため、ガイド７の周方向の他方端７ｂの固定ストッパ８とは接触せずに支柱側ストッパ５の周方向他方の側面５ｂに当接する。
【００１６】
次いで、図３（ｃ）に示したように、ジブ３の左旋回に伴い支柱側ストッパ５がジブ側ストッパ６に押されて周方向一方に移動し、ガイド７の周方向一方端７ａの固定ストッパ８に当接する。この当接によってジブ３のそれ以上の周方向一方への旋回が阻止される。この状態では、ジブ３にトルクを伝達するモータの作動を自動停止させるか、操作者が旋回スイッチ１０の停止ボタンを押し操作してモータを手動停止させることができる。
【００１７】
このように、ジブクレーム１では、ジブ３の旋回角度範囲は、ガイド７の両端７ａ，７ｂの固定ストッパ８間での支柱側ストッパ５の移動角度分だけ３６０°よりも大きくなる。そのため、支柱２の周囲３６０°の任意の場所で荷物の上げ下ろしをすることができて、使い勝手が良好になる。更に、ジブ３の旋回角度範囲が３６０°超ではあっても所定角度以下に制限されるため、支柱に配線が絡みつくことも防止できる。所定角度としては例えば７２０°が例示される。
【００１８】
ジブ３の右旋回も上記の通りの左旋回と同様である。即ち、ジブ３を右旋回させると、ジブ側ストッパ６の周方向他方の側面６ｂが支柱側ストッパ５の周方向一方の側面５ａに当接した後、支柱側ストッパ５がジブ側ストッパ６に押されて周方向他方に移動し、ガイド７の周方向他方端７ｂの固定ストッパ８に支柱側ストッパ５が当接したところで、ジブ３のそれ以上の周方向他方への旋回が阻止される。
【００１９】
以上、本発明の実施形態を図面を参照して説明したが、本発明は以上の実施形態及び実施例に限定されない。支柱をはじめ、ジブ、電動ホイストの構成及び構造には多種多様なものを採用することができる。また、支柱側ストッパ、ガイド、ジブ側ストッパ及び固定ストッパのサイズ、形状等の細部は適宜変更可能である。
【符号の説明】
【００２０】
１…ジブクレーン、２…支柱、３…ジブ、４…電動ホイスト、５…支柱側ストッパ、６…ジブ側ストッパ、７…ガイド、７ａ…周方向一方端、７ｂ…周方向他方端、８…固定ストッパ。
【図１】
2019142650.tif 000003
【図２】
2019142650.tif 000004
【図３】
2019142650.tif 000005